(57)【要約】【課題】  時刻表示以外に複数の付加情報を表示させると、時計の表示が複雑なったり、個々の表示が小さくなり、見にくくなってしまう問題があった。しかも時計の構造が複雑になり、全体として大きく厚くなる問題があった。【解決手段】   制御手段２０３から駆動手段２０５ａに入力される秒針１０３の動作用信号は、ＯＵＴ１、ＯＵＴ２の２つの信号から成り、交互に入力され、秒針１０３を動かす。秒針１０３で１７日を表すため、１７秒から１８秒までの間は第２運針形態の第２動作信号が出力されている。それ以外の期間では、秒針１０３が１秒間を１ステップで動くように見せるために、第１運針形態で動作させるための第１動作信号が出力されている。【選択図】  図６
2011214916.tif 000002
【特許請求の範囲】
【請求項１】
時刻を計時するとともに計時信号を出力する計時手段と、
前記計時手段で計時する時刻を表示するために所定範囲を動く指針と、
前記指針を駆動する駆動手段と、
前記計時手段からの前記計時信号に基づいて前記駆動手段に所定の動作信号を供給する制御手段を有する指針表示式電子時計において、
現在時刻以外の複数の情報に対応して情報信号を生成する情報生成手段をさらに有しており、
前記制御手段は、前記計時手段からの前記計時信号に基づいて前記指針を第１の運針形態で動作させるための第１動作信号を前記駆動手段へ出力するとともに、前記情報生成手段からの前記情報信号の複数の情報に対応させて、前記所定範囲内の特定の位置で前記指針を前記第２の運針形態で動作させる第２動作信号を前記駆動手段へ出力することを特徴とする指針表示式電子時計。
【請求項２】
前記第２動作信号は、前記指針が前記計時手段で計時する時刻の表示を維持したままで動作させる動作信号であり、且つ前記第１動作信号とは異なる運針形態で前記指針を動作させる動作信号であることを特徴とする請求項１に記載の指針表示式電子時計
【請求項３】
前記第１動作信号と前記第２動作信号は、単位時間当たりの駆動数が複数パルスで構成された動作信号であり、第１動作信号は前記複数パルスを前記単位時間内の所定区間内にてすべてまとめて出力し、第２動作信号は前記複数パルスを前記単位時間内にほぼ均等に出力することを特徴とする請求項１または請求項２のいずれか１つに記載の指針表示式電子時計。
【請求項４】
前記情報信号が日付の数値に対応する情報であり、前記制御手段は、前記日付の数値に対応する秒位置から次の秒位置の範囲で前記第２動作信号を出力し、その他の範囲では前記第１動作信号を出力することを特徴とする請求項１から３のいずれか１つに記載の指針表示式電子時計。
【請求項５】
前記情報信号がローカルタイムの時の数値に対応する情報であり、前記制御手段は、前記ローカルタイムの時の数値に対応する時字を含む範囲で前記第２動作信号を出力し、その他の範囲では前記第１動作信号を出力することを特徴とする請求項１から３のいずれか１つに記載の指針表示式電子時計。
【請求項６】
前記時字を含む範囲は、該時字を中心にして前後４秒の範囲であることを特徴とする請求項５に記載の指針表示式電子時計。
【発明の詳細な説明】
【技術分野】
【０００１】
本発明は、時刻を指針で表示する指針表示式電子時計に関する。
【背景技術】
【０００２】
従来から、指針による時刻情報以外の付加情報の表示を行う場合は、別途指針や情報を印刷した円板状のプレート、液晶ディスプレイなどを追加し、それによって付加情報を表示している。
【０００３】
そのため、従来の方法で複数の付加情報を表示させると、時計の表示が複雑になったり、個々の表示が小さくなり、見にくくなってしまう問題があった。しかも時計の構造が複雑になり、全体として大きく厚くなる問題があった。
【０００４】
一方、円板状のプレート、液晶ディスプレイなどを追加しないで、秒針の運針形態を、通常状態から変えて、警告（状態）やメッセージなどの付加情報を知らせるものがある。
【０００５】
これらについては、付加情報である警告（状態）やメッセージを秒針の運針形態変化で使用者に知らせるため、時計の表示が複雑になったり、小さくなるという問題はなかったが、特許文献１にあるように、通常運針とは異なった動作を所定の１つの場所で動作させるものしかなく、複数の付加情報を使用者に認識させることができなかった。
また、通常の時刻表示状態と付加情報の表示状態との違いを明確にさせるために、付加情報を表示するときは一時的に秒針を止めるなどして通常状態での指針の動きと大きく異ならせているので、秒針の位置が一時的に現時刻からずれるような動作をしていた。
【先行技術文献】
【特許文献】
【０００６】
【特許文献１】特開２００８−１２８８７８号公報
【発明の概要】
【発明が解決しようとする課題】
【０００７】
本発明は、時刻を指針で表示する時計において、現在時刻以外の複数の情報に対応して指針の運針形態を複数の場所で変えることにより、１つの付加情報しか表示出来ないのではなく、現在時刻以外の複数の付加情報を表示させることを目的にしている。さらに、指針と時刻が常時ずれないようにして付加情報を指針で表示できる時計を提供することを目的としている。
【課題を解決するための手段】
【０００８】
上記の目的を達成するために、本発明によれば、
時刻を計時するとともに計時信号を出力する計時手段と、
前記計時手段で計時する時刻を表示するために所定範囲を動く指針と、
前記指針を駆動する駆動手段と、
前記計時手段からの前記計時信号に基づいて前記駆動手段に所定の動作信号を供給する制御手段を有する指針表示式電子時計において、
現在時刻以外の複数の情報に対応して情報信号を生成する情報生成手段をさらに有しており、
前記制御手段は、前記計時手段からの前記計時信号に基づいて前記指針を第１の運針形態で動作させるための第１動作信号を前記駆動手段へ出力するとともに、前記情報生成手段からの前記情報信号の複数の情報に対応させて、前記所定範囲内の特定の位置で前記指針
を前記第２の運針形態で動作させる第２動作信号を前記駆動手段へ出力することを特徴としている。
【０００９】
また、前記第２動作信号は、前記指針が前記計時手段で計時する時刻の表示を維持したままで動作させる動作信号であり、且つ前記第１動作信号とは異なる運針形態で前記指針を動作させる動作信号である。
【００１０】
また、前記第１動作信号と前記第２動作信号は、単位時間当たりの駆動数が複数パルスで構成された動作信号であり、第１動作信号は前記複数パルスを前記単位時間内の所定区間内にてすべてまとめて出力し、第２動作信号は前記複数パルスを前記単位時間内にほぼ均等に出力する。
【００１１】
また、前記情報信号が日付の数値に対応する情報であり、前記制御手段は、前記日付の数値に対応する秒位置から次の秒位置の範囲で前記第２動作信号を出力し、その他の範囲では前記第１動作信号を出力してもよい。
【００１２】
また、前記情報信号がローカルタイムの時の数値に対応する情報であり、前記制御手段は、前記ローカルタイムの時の数値に対応する時字を含む範囲で前記第２動作信号を出力し、その他の範囲では前記第１動作信号を出力してもよい。
【００１３】
複数の情報を表示する場合は、動作信号を増やして、情報毎に区別してもよい。
【発明の効果】
【００１４】
本発明により、現在時刻以外に複数の情報を、時刻表示用の指針で表示させることができる。また、複数の情報は、指針による現在時刻をずらさずに表示させることができる。
【図面の簡単な説明】
【００１５】
【図１】本発明の実施形態に係わる基本的な時計の構成図である。
【図２】本発明の実施形態に係わる第1運針形態を表す図である。
【図３】本発明の実施形態に係わる第２運針形態を表す図である。
【図４】本発明の実施形態に係わるブロック図である。
【図５】本発明の第１の実施形態を表す図である。
【図６】図５で示した第1の実施形態の動作を表すタイミング図である。
【図７】図５で示した第１の実施形態の処理を示すフローチャートである。
【図８】本発明の第１の実施形態の時計の基準位置設定を示した図である。
【図９】本発明の第１の実施形態の時計の日付設定を示した図である。
【図１０】本発明の第２の実施形態を表す図である。
【図１１】図１０で示した第２の実施形態の動作を表すタイミング図である。
【図１２】図１０で示した第２の実施形態の処理を示すフローチャートである。
【図１３】本発明の第２の実施形態の時計のローカルタイム時設定を示した図である。
【図１４】本発明の第３の実施形態を表す図である。
【図１５】図１４で示した第３の実施形態の動作を表すタイミング図である。
【図１６】図１４で示した第３の実施形態の処理を示すフローチャートである。
【図１７】本発明の第３の実施形態の時計の日付・曜日設定を示した図である。
【発明を実施するための形態】
【００１６】
（第１実施形態）
本発明の第１実施形態は、日付表示をさせる例である。
図１は、本発明の第１実施形態に係わる基本的な指針表示式電子時計の構成図である。図示しないが、駆動手段としてのモーターは２極ステップモーターを２つ使用し、1つは
時針１０１と分針１０２を動作させ、もう１つは秒針１０３を動作させる。また、モード変更や修正作業を行うためのＰＢ（プッシュボタン）スイッチ１０４と、回転させると入力信号を発生する回転スイッチ付きのりゅうず１０５と、1秒単位の目盛のついた文字板１０６を備えている。さらに、りゅうず１０５は、押込んだ０段位置と１段引出した１段位置と２段引出した２段位置を識別可能な引出し位置検出スイッチも備えている。図１において、りゅうず１０５の位置は、黒色の位置がその段数を表している。図１では一番左が黒色なので、０段位置であることを示している。同様に中央が黒色の場合は１段位置を示し、一番右が黒色の場合は２段位置を示す。
【００１７】
図２は、本発明の実施形態に係わる第1運針形態を表す図である。後述するごとく本実施形態では、秒針１０３で時刻（秒）以外の情報を表示するように構成している。そのため、秒針１０３は２つの運針形態で動作できるように構成されている。文字板１０６の一部分のみを記載しているが、文字板１０６には円形に目盛が設けられており、各指針はこの範囲を回転して動くことにより、時刻と他の情報を表示できるように構成している。図２の第１運針形態は、秒針１０３が1秒毎に1目盛動くように見える動作である。
【００１８】
図３は、本発明の実施形態に係わる第２運針形態を表す図であり、秒針１０３が０．５秒毎に１／２目盛動く動作を示している。
【００１９】
図４は、本発明の実施形態に係わる時計のブロック図であり、後述する他の実施形態に共通して用いるブロック図である。
図４において、２０１は計時手段であり、時刻を計時して計時信号を出力する。２０２は、計時手段２０１からの計時信号に基づき、現在時刻以外の複数の情報に対応して情報信号を生成する情報生成手段である。本実施形態において、情報生成手段２０２は計時手段２０１からの信号に基づいて日付に関する情報信号を生成して制御手段２０３に情報信号を出力している。本実施形態では情報信号として日付を出力しているが、必ずしもこれに限定されるものではく、計時手段２０１に関係しない情報信号を生成するものも本発明に含まれるものである。
２０３は制御手段である。制御手段２０３は、情報生成手段２０２が発生する情報信号と、計時手段２０１からの計時信号を受け取り、その信号に基づいて第1の動作信号と第２の動作信号などを発生し、秒針１０３、時針１０１、分針１０２を駆動させる駆動手段２０５ａと２０５ｂへ動作信号を送り、各指針の動作を制御する。なお、制御手段２０３には、外部からの制御が可能なように、ＰＢスイッチ１０４と、りゅうず１０５に設けた回転スイッチ２０４ａと引出し位置検出スイッチ２０４ｂが接続されている。
【００２０】
図５は、本発明の第１の実施形態を表す文字板１０６と秒針１０３の関係を表す平面図であり、秒針１０３の1周６０秒の動きを示している。この実施形態では、秒針１０３が現在時刻以外の情報として日付の１７日を表す実施形態を示している。図５において、秒針１０３は、破線で示した範囲では第１運針形態で動作することを示しており、実線で示した範囲では第２運針形態で動作することを示している。図示の例は、日付の１７日を表す１７秒位置から１８秒位置の間を第２運針形態で駆動している。
本実施形態において日付は、1秒位置から３２秒位置までの範囲を使用し、１日から３１日までを表す。1日なら1秒から2秒の間、３１日なら３１秒から３２秒の間の１秒間を第２運針形態で動作させる。
【００２１】
図５では、１７日を表すため、１７秒から１８秒の間を第２運針形態である０．５秒ステップで動作させ、それ以外は第１運針形態である1秒ステップで動くことを示している。
【００２２】
図６は、図５で示した第1の実施形態の秒針１０３を駆動する駆動手段２０５ａである
２極ステップモータの動作信号である駆動パルスを表すタイミング図である。
制御手段２０３から駆動手段２０５ａに入力される秒針１０３の動作用信号は、ＯＵＴ１、ＯＵＴ２の２つの信号から成り、駆動手段２０５ａである２極ステップモータのコイル端子に交互に入力され、秒針１０３を動かす。図示しないが、駆動手段２０５ａと秒針１０３は、所定の減速比を有する歯車輪列を介して連結されている。そして１秒を単位時間とし、この１秒間を複数の駆動パルスで駆動するように構成している。本実施形態では、１秒間を２パルスで駆動するようにしており、図２に示した第１運針形態は、この２パルスを１秒間内の前半にすべてまとめて出力することにより、秒針１０３が1秒毎に1目盛動くように見える第１運針形態の動作を実現している。このパルス出力が第１動作信号である。
また、図３に示した第２運針形態は、この２パルスを１秒間内にほぼ均等に出力することにより、秒針１０３が０．５秒毎に１／２目盛動くように見える第２運針形態の動作を実現している。このパルス出力が第２動作信号である。
図６では、秒針１０３で１７日を表すため、１７秒から１８秒までの間は第２運針形態の第２動作信号が出力されている。それ以外の期間では、秒針１０３が１秒間を１ステップで動くように見せるために、第１運針形態で動作させるための第１動作信号が出力されている。
【００２３】
図７は、図５で示した第１の実施形態の処理を示すフローチャートである。
後述する所定の設定が終わった後に、時計が第１の運針形態にて運針を開始する。その後、制御手段２０３では動作信号が発生する度に、制御手段２０３が保持する秒針１０３の針位置情報と、情報生成手段２０２からの日付に関する情報信号とに基づき、日付の認識ステップ３０１と現針位置の認識ステップ３０２を行い、日付と針位置の比較ステップ３０３で日付と針位置を比較する。この時、設定された日付と針位置が合った時に、第２運針ステップ３０４へ移行し、制御手段２０３および駆動手段２０５ａを通じ、秒針１０３を第２運針形態で１秒間動かす。設定された日付と針位置が合わない場合は、第１運針ステップ３０５へ移行し、制御手段２０３および駆動手段２０５aを通じ、秒針１０３を第１運針形態で動かすように制御している。
【００２４】
次に、本実施形態の指針表示式電子時計の基本的な初期設定手順を説明する。図８は、本発明の第１の実施形態の時計における指針の基準位置設定手順を示した説明図である。
図８において、通常状態４０１でＰＢスイッチ１０４をしばらく押したままの状態の長押しをすると、基準位置確認状態４０２に移行する。ここでの基準位置とは、時針１０１は１２時位置、分針１０２は０分位置、秒針１０３も０秒位置である。もし、ここで時針１０１、分針１０２、秒針１０３のいずれかが基準位置からずれていた場合は、修正を行う。ここでは、秒針１０３の修正を行う場合は、りゅうず１０５を１段位置に設定して基準位置設定状態（秒針設定）４０３に移行し、秒針１０３の修正を行う。また時針１０１もしくは分針１０２を修正する場合は、りゅうず１０５を２段位置にして基準位置設定状態（時分針設定）４０４に移行し、時針１０１もしくは分針１０２修正を行う。修正はりゅうず１０５の回転スイッチ２０４ａを使用して修正を行なう。りゅうず１０５を回転すると、選択された秒針１０３又は分針１０２は所定のステップで前進又は後退するように設定されている。修正が終了し、りゅうず１０５を０段位置に戻すと、通常状態４０１に戻るように構成されている。なお、後で説明するほかの実施形態の基準位置設定も同様である。
【００２５】
図９は、本発明の第１の実施形態の指針表示式電子時計の日付設定手順と、時刻設定手順を示した説明図である。すでに前述した初期設定が終了しているものとする。通常状態４０１からりゅうず１０５を1段位置に設定すると、日付・午前午後設定状態５０１になり、秒針１０３はデフォルトの日付位置で停止して日付の設定状態になる。次にりゅうず１０５の回転スイッチ２０４ａにて、秒針１０３を動かし、日付を設定する。例えば１７
日であれば秒針１０３を１７秒位置に移動させる。次にＰＢスイッチ１０４を押すと、今度は秒針１０３が午前位置に移動し、午前午後の設定状態に移行する。午前午後設定は、日付設定と同様にりゅうず１０５の回転スイッチ２０４ａを回転して秒針１０３を動かし、現在時刻が午前午後のいずれかであるかを設定する。ここでは、午前に設定する場合は、秒針１０３を１５秒位置に移動させ、午後に設定する場合は、秒針１０３を４５秒位置に移動させる。
本実施形態では、時刻表示が１２時間表示であり、日付は夜中の１２時に更新させたいので、現在時刻が午前なのか午後なのかを計時手段２０１に設定している。
更にＰＢスイッチ１０４を押すと日付の設定状態に戻り、ＰＢスイッチ１０４を押す度に、日付の設定状態と午前午後の設定状態が交互に切り替わる。そして、りゅうず１０５を０段位置もしくは２段位置にすると、日付設定と午前午後設定が確定される。さらに、りゅうず１０５を０段位置に戻すと、各指針が動き出すようになっている。
次に、りゅうず１０５を２段位置にすると、時刻設定状態５０２に移行する。秒針１０３は０秒位置、時針１０１および分針１０２はその場の位置で停止する。りゅうず１０５の回転スイッチ２０４ａにて時針１０１と分針１０２を動かし、時刻を修正する。そして、りゅうず１０５を０段位置または１段位置にすると時計は動き出すように構成されている。
以上の説明から明らかなように、本実施形態に基づけば、通常の秒表示を行なう秒針１０３を用いて、日付の表示を同時に行なうことができるため、日付を表示するための追加の表示部材を設ける必要がなくなるという効果を有するものである。しかも、通常の秒表示をとめることはなく、秒表示を継続した状態で日付を認識できるので、一時的であっても時刻表示が現在時刻に対してずれることがないという効果を有するものである。
【００２６】
（第２実施形態）
本発明の第２実施形態は、ローカルタイムを表示させる例である。
時計の構成などの第１実施形態と同じものについては、ここでの説明は省略する。
図１０は、本発明の第２の実施形態を表す図であり、秒針１０３の1周の動きを示している。本実施形態では、秒針１０３をローカルタイムの時の単位を示す位置で、第２運針形態で動作させている。
ローカルタイム時は、０秒位置から５９秒位置までの範囲を使用し、１時から１２時までを表す。１時なら４秒から６秒の間、１２時なら５９秒から１秒の間の２秒間を第２運針形態で動作させる。
【００２７】
図１０では、ローカルタイムの２時を表すため、通常時針１０１が示す１０秒位置の前後１秒の範囲（９秒から１１秒の間）を第２運針形態である０．５秒ステップで動作させ、それ以外は第１運針形態である１秒ステップで動くことを示している。
【００２８】
図１１は、図１０で示した第２の実施形態の動作を表すタイミング図である。
制御手段２０３から駆動手段２０５ａに入力される秒針１０３の動作用信号は、ＯＵＴ１、ＯＵＴ２の２つの信号から成り、交互に入力され、秒針１０３を動かす。図１０では、ローカルタイム時の２時を表すため、９秒から１１秒まで第２運針形態で動作するための第２動作信号が出力されていることを示している。それ以外の範囲では、秒針１０３を第１運針形態で動作させるための第１動作信号が出力されている。
【００２９】
図１２は、図１０で示した第２の実施形態の処理を示すフローチャートである。なお、指針の基準位置設定手順は第１実施形態と同様なので、説明を省略する。
所定の設定が終わった後に、指針表示式電子時計が第１の運針形態にて運針を開始する。その後、情報生成手段２０２では、動作信号が発生する度に、ローカルタイム時の認識ステップ６０１と現針位置の認識ステップ６０２を行い、ローカルタイム時と針位置の比較ステップ６０３でローカルタイム時と針位置を比較する。この時、設定されたローカル
タイム時と設定された針位置の１秒前の位置が合った時に、第２運針ステップ６０４へ移行し、制御手段２０３および駆動手段２０５ａを通じ、秒針１０３を第２運針形態で２秒間動かす。設定されたローカルタイム時と設定された針位置の１秒前の位置が合わない場合は、第１運針ステップ６０５へ移行し、制御手段２０３および駆動手段２０５ａを通じ、秒針１０３を第１運針形態で動かす。
【００３０】
図１３は、本発明の第２の実施形態の時計のローカルタイム時設定、時刻設定を示した図である。通常状態４０１からりゅうず１０５を１段位置に設定すると、ローカルタイム設定状態７０１に移行する。りゅうず１０５の回転スイッチ２０４ａにて、秒針１０３を動かし、ローカルタイム時を設定する。例えばローカルタイム時が２時であれば１０秒位置に設定する。りゅうず１０５を０段位置もしくは２段位置にすると、設定が確定される。
りゅうず１０５を２段位置にすると次は時刻設定状態５０２に移行する。設定は第１実施形態の図９の説明と同じなので省略する。
以上の説明から明らかなように、本実施形態に基づけば、通常の秒表示を行なう秒針１０３を用いて、ローカルタイムの時の単位の表示を同時に行なうことができるため、ローカルタイムを表示するための追加の表示部材を設ける必要がなくなるという効果を有するものである。しかも、通常の秒表示をとめることはなく、秒表示を継続した状態でローカルタイムの時を認識できるので、一時的であっても時刻表示が現在時刻に対してずれることがないという効果を有するものである。
【００３１】
（第３実施形態）
本発明の第３実施形態は、日付と曜日の両方を表示させる例である。
時計の構成などの第１実施形態と同じものについては、ここでの説明は省略する。
図１４は、本発明の第３の実施形態を表す図であり、秒針１０３の1周の動きを示している。本実施形態では秒針１０３によって日付と曜日を表すので、日付と曜日の示す２カ所の位置では第２運針形態で動作することを表している。
日付は、１秒位置から３２秒位置までの範囲を使用し、１日から３１日までを表す。日付が1日なら1秒から2秒の間、３１日なら３１秒から３２秒の間の１秒間を第２運針形態で動作させる。
曜日は、４０秒位置から５４秒位置までの範囲を使用し、月曜日から日曜日までを表す。月曜日なら４０秒から４２秒の間、日曜日なら５２秒から５４秒の間の２秒間を第２運針形態で動作させる。図１４に示すように本実施形態では、曜日を表す範囲の文字板１０６の時字を、他の範囲の時字とは違う形状にすることで、この範囲が曜日表示の範囲であることを使用者に認識させるように構成している。
【００３２】
図１４では、日付の１７日と曜日の水曜日を表すため、１７秒から１８秒の間と４４秒から４６秒の間を第２運針形態である０．５秒ステップで動作させ、それ以外は第１運針形態である1秒ステップで動くことを示している。
【００３３】
図１５は、図１４で示した第３の実施形態の動作を表すタイミング図である。
制御手段２０３から駆動手段２０５ａに入力される秒針１０３の動作用信号は、ＯＵＴ１、ＯＵＴ２の２つの信号から成り、交互に入力され、秒針１０３を動かす。図１５では、１７日と水曜日を表すため、１７秒から１８秒、４４秒から４６秒までの２区間で第２運針形態の信号が出力されている。
【００３４】
図１６は、図１４で示した第３の実施形態の処理を示すフローチャートである。なお、指針の基準位置設定手順は第１実施形態と同様なので、説明を省略する。
所定の設定が終わった後に、時計が第１の運針形態にて運針を開始する。その後、情報生成手段２０２では、動作信号が発生する度に、現針位置確認ステップ８０１にて、秒針
１０３が日付表示領域にあるのか、そうでないかの確認を行い、日付表示領域にある場合は、日付の認識ステップ３０１以降に進み、そうでなければ、曜日の認識ステップ８０２の方へ進む。日付の認識ステップ３０１以降については、第１実施形態の図７の説明と同じとなる。曜日の認識ステップ８０２の方へ進んだ場合は、曜日の認識ステップ８０２と現針位置の認識ステップ８０３を行い、曜日と針位置の比較ステップ８０４で日付と針位置を比較する。この時、設定された曜日と針位置が合った時に、第２運針ステップ３０４へ移行し、制御手段２０３および駆動手段２０５ａを通じ、秒針１０３を第２運針形態で動かす。設定された曜日と針位置が合わない場合は、第１運針ステップ３０５へ移行し、制御手段２０３および駆動手段２０５ａを通じ、秒針１０３を第１運針形態で動かす。
【００３５】
図１７は、本発明の第３の実施形態の時計の日付・曜日設定、時刻設定を示した図である。４０１通常状態からりゅうず１０５を1段位置にすると、日付・午前午後・曜日設定状態９０１に移行し、まずは日付の設定状態になる。りゅうず１０５の回転スイッチ２０４ａにて、秒針１０３を動かし、日付を設定する。例えば１７日であれば秒針１０３を１７秒位置に設定する。
ＰＢスイッチ１０４を押すと今度は、午前午後の設定状態にかわる。設定はりゅうず１０５の回転スイッチ２０４ａにて、秒針１０３を動かし、午前午後を設定する。ここでは、午前に設定する場合は、秒針１０３を１５秒位置に設定し、午後に設定する場合は、秒針１０３を４５秒位置に設定する。
ここでＰＢスイッチ１０４を押すと今度は、曜日の設定状態に変わる。設定は、りゅうず１０５の回転スイッチ２０４ａにて、秒針１０３を動かし、曜日を設定する。ここでは、曜日は４０秒位置〜５４秒位置までの２秒飛びに指定して、そこに秒針１０３を設定するので、月曜日であれば４０秒位置に設定し、水曜日であれば４４秒位置に設定する。
更にＰＢスイッチ１０４を押すと日付の設定状態に戻り、ＰＢスイッチ１０４を押す度に、順番に切り替わる。りゅうず１０５を０段位置もしくは２段位置にすると、設定が確定される。りゅうず１０５を２段位置にすると時刻設定状態５０２になる。設定は第１実施形態の図９の説明と同じである。
以上の説明から明らかなように、本実施形態に基づけば、通常の秒表示を行なう秒針１０３を用いて、日付と曜日の表示を同時に行なうことができるため、日付と曜日を表示するための追加の表示部材を設ける必要がなくなるという効果を有するものである。しかも、通常の秒表示を止めることはなく、秒表示を継続した状態で日付と曜日の両方を認識できるので、一時的であっても時刻表示が現在時刻に対してずれることがないという効果を有するものである。
なお第１から第３の実施形態では、現在時刻以外の情報として、日付、ローカルタイムの時、曜日を実施例としたが、本発明はそれに限定されるものではなく、他の情報を表示することも可能である。例として、情報生成手段２０２が方位計であれば、指針で方位を表示することも可能である。また水深計測表示や、高度表示、サマータイム表示にも応用可能である。
また、実施例では、第1の運針形態を１秒ステップ、第２の運針形態を０．５秒ステップとしたが、それぞれ変更することも可能である。
【符号の説明】
【００３６】
101・・・時針
102・・・分針
103・・・秒針
104・・・ＰＢ（プッシュボタン）スイッチ
105・・・りゅうず
106・・・文字板
201・・・計時手段
202・・・情報生成手段
203・・・制御手段
204a・・・りゅうず回転スイッチ
204b・・・りゅうず引出し位置検出スイッチ
205a,b・・・駆動手段
301・・・日付の認識ステップ
302・・・現針位置の認識ステップ
303・・・日付と針位置の比較ステップ
304・・・第２運針ステップ
305・・・第１運針ステップ
401・・・通常状態
402・・・基準位置確認状態
403・・・基準位置設定状態（秒針設定）
404・・・基準位置設定状態（時分針設定）
501・・・日付・午前午後設定状態
502・・・時刻設定状態
601・・・ローカルタイム時の認識ステップ
602・・・現針位置の認識ステップ
603・・・ローカルタイム時と針位置の比較ステップ
604・・・第２運針ステップ
605・・・第１運針ステップ
701・・・ローカルタイム時設定状態
801・・・現針位置確認ステップ
802・・・曜日の認識ステップ
803・・・現針位置の認識ステップ
804・・・曜日と針位置の比較ステップ
901・・・日付・午前午後・曜日設定状態
【図１】
2011214916.tif 000003
【図２】
2011214916.tif 000004
【図３】
2011214916.tif 000005
【図４】
2011214916.tif 000006
【図５】
2011214916.tif 000007
【図６】
2011214916.tif 000008
【図７】
2011214916.tif 000009
【図８】
2011214916.tif 000010
【図９】
2011214916.tif 000011
【図１０】
2011214916.tif 000012
【図１１】
2011214916.tif 000013
【図１２】
2011214916.tif 000014
【図１３】
2011214916.tif 000015
【図１４】
2011214916.tif 000016
【図１５】
2011214916.tif 000017
【図１６】
2011214916.tif 000018
【図１７】
2011214916.tif 000019